(57)【要約】【課題】  原稿の厚さが厚くても、薄くても、原稿押え部材の装置本体に対する相対姿勢を略一定に維持できるようにする。【解決手段】  原稿Ｃを載置可能な載置面１と、載置面に載置してある原稿を読み取り可能な読み取り手段とを備えた装置本体４に、載置面に載置してある原稿をその載置面に向けて押し付け可能な原稿押え部材７を設け、原稿押え部材を載置面に向けて揺動自在に支持する支持部材９を、原稿押し付け方向に移動可能に装置本体に設けてある原稿読み取り装置であって、支持部材を装置本体に対して原稿押し付け方向の任意の位置で固定可能で、かつ、その固定を解除自在な固定機構１３を設けてある。【選択図】        図６
2006039047.tif 000002
【特許請求の範囲】
【請求項１】
原稿を載置可能な載置面と、前記載置面に載置してある原稿を読み取り可能な読み取り手段とを備えた装置本体に、前記載置面に載置してある原稿をその載置面に向けて押し付け可能な原稿押え部材を設け、
前記原稿押え部材を前記載置面に向けて揺動自在に支持する支持部材を、原稿押し付け方向に移動可能に前記装置本体に設けてある原稿読み取り装置であって、
前記支持部材を前記装置本体に対して原稿押し付け方向の任意の位置で固定可能で、かつ、その固定を解除自在な固定機構を設けてある原稿読み取り装置。
【請求項２】
前記原稿押え部材を前記載置面に向けて揺動させる操作に連動して前記支持部材を固定可能、かつ、前記原稿押え部材を前記載置面から離間する方向に揺動させる操作に連動してその固定を解除自在に、前記固定機構を設けてある請求項１記載の原稿読み取り装置。
【請求項３】
前記装置本体に形成してある挿入孔に前記支持部材を挿入して、前記支持部材を原稿押し付け方向に移動可能に設け、
前記挿入孔の内周面に対して圧接させて前記支持部材を固定可能で、かつ、前記挿入孔の内周面に対する圧接を解除して前記支持部材の固定を解除自在な圧接部材を設けて、前記固定機構を構成してある請求項１又は２記載の原稿読み取り装置。
【発明の詳細な説明】
【技術分野】
【０００１】
本発明は、原稿を載置可能な載置面と、前記載置面に載置してある原稿を読み取り可能な読み取り手段とを備えた装置本体に、前記載置面に載置してある原稿をその載置面に向けて押し付け可能な原稿押え部材を設け、前記原稿押え部材を前記載置面に向けて揺動自在に支持する支持部材を、原稿押し付け方向に移動可能に前記装置本体に設けてある原稿読み取り装置に関する。
【背景技術】
【０００２】
上記原稿読み取り装置は、原稿の厚さに応じて、その原稿の全体を載置面に向けて押し付けることができるように、原稿押え部材を載置面に向けて揺動自在に支持する支持部材を、原稿押し付け方向に移動可能に装置本体に設けてある。
従来の原稿読み取り装置では、原稿押え部材を載置面に向けて揺動させるに伴って、原稿押え部材に設けた突起部を装置本体に設けた溝部に入り込ませて、原稿を載置面に向けて押し付けている原稿押え部材の装置本体に対する相対姿勢を略一定に維持できるように構成している（例えば、特許文献１参照）。
【０００３】
【特許文献１】特開２００１−２０３８３８号公報
【発明の開示】
【発明が解決しようとする課題】
【０００４】
このため、原稿の厚さが厚いほど、つまり、原稿を載置面に向けて押し付けている状態で、原稿押え部材が載置面から離れるほど、突起部の溝部への入り込み深さが浅くなって、原稿押え部材の装置本体に対する相対姿勢を略一定に維持しにくい欠点がある。
本発明は上記実情に鑑みてなされたものであって、原稿の厚さが厚くても、薄くても、原稿押え部材の装置本体に対する相対姿勢を略一定に維持できるようにすることを目的とする。
【課題を解決するための手段】
【０００５】
本発明の第１特徴構成は、原稿を載置可能な載置面と、前記載置面に載置してある原稿を読み取り可能な読み取り手段とを備えた装置本体に、前記載置面に載置してある原稿をその載置面に向けて押し付け可能な原稿押え部材を設け、前記原稿押え部材を前記載置面に向けて揺動自在に支持する支持部材を、原稿押し付け方向に移動可能に前記装置本体に設けてある原稿読み取り装置であって、前記支持部材を前記装置本体に対して原稿押し付け方向の任意の位置で固定可能で、かつ、その固定を解除自在な固定機構を設けてある点にある。
【０００６】
〔作用及び効果〕
原稿押え部材を載置面に向けて揺動自在に支持する支持部材を装置本体に対して原稿押し付け方向の任意の位置で固定可能で、かつ、その固定を解除自在な固定機構を設けてあるので、原稿を載置面に向けて押し付けている状態での原稿押え部材と載置面との距離にかかわらず、その距離に応じた任意の位置で、支持部材を装置本体に対して固定することができ、原稿の厚さが厚くても、薄くても、原稿の厚さが厚くなっても、原稿押え部材の装置本体に対する相対姿勢を略一定に維持できる。
【０００７】
本発明の第２特徴構成は、前記原稿押え部材を前記載置面に向けて揺動させる操作に連動して前記支持部材を固定可能、かつ、前記原稿押え部材を前記載置面から離間する方向に揺動させる操作に連動してその固定を解除自在に、前記固定機構を設けてある点にある。
【０００８】
〔作用及び効果〕
原稿押え部材を載置面に向けて揺動させて、原稿を載置面に向けて押し付ける操作に連動して、支持部材を装置本体に対して固定することができ、原稿押え部材を載置面から離間する方向に揺動させる操作に連動してその固定を解除できるので、支持部材を固定したり、その固定を解除するための操作を特に要することなく、支持部材を装置本体に対して原稿の厚さに応じた位置に簡便に固定することができる。
【０００９】
本発明の第３特徴構成は、前記装置本体に形成してある挿入孔に前記支持部材を挿入して、前記支持部材を原稿押し付け方向に移動可能に設け、前記挿入孔の内周面に対して圧接させて前記支持部材を固定可能で、かつ、前記挿入孔の内周面に対する圧接を解除して前記支持部材の固定を解除自在な圧接部材を設けて、前記固定機構を構成してある点にある。
【００１０】
〔作用及び効果〕
支持部材を原稿押し付け方向に移動可能に挿入する挿入孔を利用して、その挿入孔内周面に対して圧接部材を圧接させて支持部材を固定することができ、圧接部材の挿入孔内周面に対する圧接を解除して支持部材の固定を解除することができるので、装置本体側の固定構造を簡略化できる。
【発明を実施するための最良の形態】
【００１１】
以下に本発明の実施の形態を図面に基づいて説明する。
図１，図２は、本発明による原稿読み取り装置Ａを備えた複写機Ｂの上部を示し、原稿Ｃを載置可能な矩形の載置面１を形成するコンタクトガラス２と操作パネル３とを上部に備え、載置面１に載置してある原稿Ｃを光学的に読み取り可能な読み取り手段（図外）を内装してある装置本体４に、揺動操作用の取っ手５を備えた原稿カバー６を上下に揺動開閉自在に支持してある。
【００１２】
前記原稿カバー６は、図３に示すように、載置面１に載置してある原稿Ｃをその載置面１に向けて押し付け可能な矩形の原稿押え板（原稿押え部材の一例）７を下向き面側に一体に備えるとともに、その原稿カバー６に一体に設けた支持アーム８を横軸芯Ｘ周りで揺動自在に支持する左右一対の硬質樹脂製の支持部材９を設けてある。
【００１３】
そして、装置本体４のコンタクトガラス後方側部分に形成した左右一対の挿入孔１０に各支持部材９を挿入して、図４に示すように、支持部材９を原稿カバー６と共に載置面１に対して原稿押し付け方向に移動可能に装置本体４に設けるとともに、原稿押え板７を原稿カバー６と共に載置面１に向けて、コンタクトガラス後方側の横軸芯Ｘ周りで上下に揺動自在に支持してある。
【００１４】
前記支持部材９の各々は、図５に示すように、挿入孔１０への挿入深さを規制する鍔１１を上部に備えた底板１２付きの略矩形筒状に形成して、原稿カバー６の支持アーム８をその上端部に横軸芯Ｘ周りで揺動自在に支持してあり、挿入孔１０の各々を支持部材９の外径よりも若干大きい略矩形の横断面形状に形成して、支持部材９の回転を防止するとともに、支持部材９を原稿押し付け方向に容易に移動できるように構成し、支持部材９の下端側にテーパ面を形成して挿入孔１０に容易に挿入できるように構成してある。
【００１５】
前記支持部材９の各々には、原稿押え板７を載置面１に向けて揺動させる操作に連動して、支持部材９を装置本体４に対して原稿押し付け方向の任意の位置で固定可能で、かつ、原稿押え板７を載置面１から離間する方向に揺動させる操作に連動して、その支持部材９の固定を解除自在な固定機構１３を設けてある。
【００１６】
前記固定機構１３は、挿入孔１０の内周面に対して圧接させて支持部材９を固定可能で、かつ、挿入孔１０の内周面に対する圧接を解除して支持部材９の固定を解除自在な圧接部材１４を支持部材９に一体に設けるとともに、原稿押え板７を載置面１に向けて揺動させる操作に連動して、圧接部材１４を挿入孔１０の内周面に対して圧接させ、原稿押え板７を載置面１から離間する方向に揺動させる操作に連動して、その圧接を解除するための操作部材１５を支持部材９の内側に装着して構成してある。
【００１７】
前記圧接部材１４は、支持部材９を形成している四つの周壁１６の各々にスリット１７を上向きコの字状に設けて、下端側を外向きに弾性変位自在な舌片１８を形成するとともに、図４にも示すように、その舌片１８の下端部に、挿入孔１０の内周面側に突出する外向き突出部１９と、操作部材１５の上下移動経路内に突出する内向き突出部２０とを設けて構成してある。
【００１８】
前記操作部材１５は、原稿カバー６を開けた状態では、バネ２１の付勢力でその上端部が支持部材９の上部外方に突出し、原稿カバー６を閉めるに伴って、原稿カバー６の支持アーム８に押されて、バネ２１の付勢力に抗して支持部材９の内側に押し込まれ、その下端部で圧接部材１４の内向き突出部２０を外向きに押圧して、圧接部材１４の下端部が挿入孔１０の内周面に向けて弾性変位するように設けてある。
【００１９】
従って、図４に示す原稿カバー６を閉めた状態から、図６（イ）に示すように、原稿カバー６を開けると、操作部材１５の下端部がバネ２１の付勢力で内向き突出部２０どうしの間から抜け出して、操作部材１５の上端部が支持部材９の上部外方に突出するとともに、各外向き突出部１９の挿入孔内周面に対する押圧が解除され、本などの原稿Ｃを載置面１に載置して、図６（ロ）に示すように原稿カバー６を閉めると、支持部材９が原稿押し付け方向の原稿Ｃの厚さに応じた位置に移動して、原稿Ｃの全体が原稿押え板７で載置面１に向けて押し付けられるとともに、操作部材１５の下端部がバネ２１の付勢力に抗して内向き突出部２０どうしの間に押し込まれ、内向き突出部２０が外向きに押圧されて、圧接部材１４が外向きに弾性変位し、各圧接部材１４の外向き突出部１９が挿入孔１０の内周面に突っ張るように圧接されて、各支持部材９が装置本体４に固定される。
【００２０】
〔その他の実施形態〕
１．本発明による原稿読み取り装置は、原稿押え部材を揺動させる操作とは別の操作によって、支持部材を装置本体に対して原稿押し付け方向の任意の位置で固定可能で、かつ、その固定を解除自在な固定機構を設けてあっても良い。
２．本発明による原稿読み取り装置は、圧縮すると弾性的に拡径変形し、圧縮を解除すると元の形状に縮径変形する弾性体を設けて、原稿押え部材を載置面に向けて揺動させる操作に連動してその弾性体を圧縮することにより、弾性的に拡径変形しようとする弾性体、或いは、その弾性体で押圧される部材を装置本体側に突っ張らせて、支持部材を装置本体に対して固定可能な固定機構を設けてあっても良い。
３．本発明による原稿読み取り装置は、積み重ねた原稿を一枚ずつ載置面に自動搬送する自動原稿送り装置（ＡＤＦ）などを備えた原稿押え部材を設けてあっても良い。
４．本発明による原稿読み取り装置は、プリンタやファクシミリなどに設けられるものであっても良い。
【図面の簡単な説明】
【００２１】
【図１】原稿読み取り装置の斜視図
【図２】原稿読み取り装置の平面図
【図３】原稿読み取り装置の分解斜視図
【図４】要部の断面図
【図５】要部の斜視図
【図６】要部の断面図
【符号の説明】
【００２２】
１    載置面
４    装置本体
７    原稿押え部材
９    支持部材
１０  挿入孔
１３  固定機構
１４  圧接部材
Ｃ    原稿
【図１】
2006039047.tif 000003
【図２】
2006039047.tif 000004
【図３】
2006039047.tif 000005
【図４】
2006039047.tif 000006
【図５】
2006039047.tif 000007
【図６】
2006039047.tif 000008